(57)【要約】【課題】ユーザに特に不快感を与えることなく消費電力を低減できる受信装置および受信方法を提供すること。【解決手段】チューナ２００は、画像データと音声データを含む放送信号を受信し、受信品質算出部２４０は、放送信号の受信品質を判定する。受信品質判定部３２０は、判定された受信品質を、表示画像の内容を判別できる受信品質の第１の閾値と比較して放送信号に対するデコード処理を行うか否かを判定するとともに、高画質処理の効果を得られる受信品質の第２の閾値と比較して高画質処理と標準画質処理のいずれを行うかを判定する。高画質処理選択部３３０は、高画質処理を行うと判定されたとき、設定された高画質モードの高画質処理を選択して実行し、標準画質処理を行うと判定されたとき、高画質モードが設定されていたとしても、より消費電力の低い標準画質処理を選択して実行する。【選択図】図１
2008259036.tif 000002
【特許請求の範囲】
【請求項１】
画像信号または音声信号を含む信号を受信する受信手段と、
受信信号に対して実行する信号処理を、第１の信号処理と第１の信号処理よりも消費電力の低い第２の信号処理とから、受信信号の受信品質に応じて選択する信号処理手段と、
を有する受信装置。
【請求項２】
前記信号処理手段は、
前記第１の信号処理の実行を指定されているとき、前記受信品質に応じて前記第１の信号処理および前記第２の信号処理のいずれかを選択し、前記第２の信号処理の実行を指定されているとき、前記第２の信号処理を選択する、
請求項１記載の受信装置。
【請求項３】
前記信号処理手段は、
前記受信品質が、前記第１の信号処理で得られる画像または音声の品質が前記第２の信号処理で得られる画像または音声の品質よりも高いレベルの場合、前記第１の信号処理を選択し、前記受信品質が上記レベルではない場合、前記第２の信号処理を選択する、
請求項１記載の受信装置。
【請求項４】
受信信号から画像信号または音声信号を復号する復号手段と、
復号前の受信信号から、前記受信品質を算出する受信品質算出手段と、
をさらに有する請求項１記載の受信装置。
【請求項５】
画像信号または音声信号を含む信号の受信品質を算出する受信品質算出ステップと、
受信信号に対して実行する信号処理を、第１の信号処理と第１の信号処理よりも消費電力の低い第２の信号処理とから、受信信号の受信品質に応じて選択する信号処理選択ステップと、
を有する受信方法。
【発明の詳細な説明】
【技術分野】
【０００１】
本発明は、画像信号または音声信号を受信し、受信信号に対して実行する信号処理を消費電力の異なる複数の信号処理の中から選択する受信装置および受信方法に関する。
【背景技術】
【０００２】
画像信号や音声信号などの受信信号に対して基本的な内容の信号処理を行うモードと、より高い画質や音質を実現する目的で付加的な内容の信号処理を行うモードとを切り替えて選択できるテレビジョン受信機が普及している。たとえば、スポーツ番組の画像に適した画質処理を行うモードを有するテレビジョン受信機では、スポーツ番組の視聴時に当該モードを選択することで、より高い画質での画像表示が可能である。
【０００３】
一方で、近年、地上デジタル放送対応の携帯電話機など、テレビジョン放送を受信再生する機能を搭載した携帯端末の普及が進んでいる。このような携帯型の受信装置でも、上記のように、複数のモードを有することが望まれる。
【０００４】
ところが、付加的な内容の信号処理（以下「高品質処理」という）は、基本的な内容の処理（以下「標準品質処理」という）に比べて高い電力を消費する。消費電力の増大は、特に携帯型の受信装置においては好ましくない。
【０００５】
従来、映像信号の受信装置において消費電力を低く抑える技術が、例えば特許文献１に記載されている。この技術では、信号の受信品質の悪さを示す値が閾値を超えたときに映像データのデコードが一時的に停止される。この技術を高品質処理に適用することにより、消費電力の増大を抑えることができる。
【特許文献１】特開２００６−３３９８７２号公報
【発明の開示】
【発明が解決しようとする課題】
【０００６】
しかしながら、特許文献１記載の技術を適用した場合、高品質処理のモードが選択されているときで上記受信品質の値が閾値を超えているときには、デコードが停止して画像が一切表示されないため、ユーザに不快感を与えてしまう可能性がある。また、音声信号に適用した場合も、同様の問題が起こり得る。
【０００７】
本発明は、かかる点に鑑みてなされたものであり、ユーザに特に不快感を与えることなく消費電力を低減できる受信装置および受信方法を提供することを目的とする。
【課題を解決するための手段】
【０００８】
本発明の受信装置は、画像信号または音声信号を含む信号を受信する受信手段と、受信信号に対して実行する信号処理を、第１の信号処理と第１の信号処理よりも消費電力の低い第２の信号処理とから、受信信号の受信品質に応じて選択する信号処理手段とを具備する構成を採る。
【０００９】
本発明の受信方法は、画像信号または音声信号を含む信号の受信品質を算出する受信品質算出ステップと、受信信号に対して実行する信号処理を、第１の信号処理と第１の信号処理よりも消費電力の低い第２の信号処理とから、受信信号の受信品質に応じて選択する信号処理選択ステップとを有するようにした。
【発明の効果】
【００１０】
本発明によれば、ユーザに特に不快感を与えることなく消費電力を低減できる受信装置および受信方法を提供することができる。
【発明を実施するための最良の形態】
【００１１】
以下、本発明の各実施の形態について、図面を参照して詳細に説明する。
【００１２】
（実施の形態１）
図１は、本発明の実施の形態１に係る受信装置の構成を示すブロック図である。本実施の形態は、地上デジタル放送サービスの１つであるワンセグの受信機能を備えた携帯電話機に適用した例である。
【００１３】
まず、ワンセグの概略について説明する。ワンセグは、地上デジタル放送の周波数帯域を構成する１３セグメントの１セグメントを用いた放送サービスである。放送局側で、放送番組の画像データおよび音声データは、トランスポートストリーム（transport stream：ＴＳ）に多重化される。そして、トランスポートストリームは、誤り訂正符号化を含む所定のデジタル変調が行われ、デジタル変調された信号は、所望の周波数にアップコンバートされて送出される。
【００１４】
図１において、本実施の形態に係る受信装置１００は、チューナ２００、復号データ処理部３００、および表示部４００を有する。
【００１５】
チューナ２００は、ワンセグの放送信号を受信して元のトランスポートストリームを再生するとともに、放送信号の受信品質を示すパラメータを生成する。チューナ２００は、アンテナ部２１０、無線受信部２２０、および復調部２３０を有する。また、復調部２３０は、受信品質算出部２４０を有する。
【００１６】
アンテナ部２１０は、ワンセグの放送波を受信する。
【００１７】
無線受信部２２０は、アンテナ部２１０を介してワンセグの放送信号を受信し、受信信号に対してダウンコンバートやＡ／Ｄ変換等の処理を行う。
【００１８】
復調部２３０は、無線受信部２２０の出力信号に対して、誤り検出および誤り訂正を含むデジタル復調を行い、元のトランスポートストリームを再生する。
【００１９】
受信品質算出部２４０は、受信信号の搬送波対雑音比（carrier to noise ratio：Ｃ／Ｎ）、ビット誤り率（bit error rate：ＢＥＲ）、受信電力、および受信電界強度の少なくとも１つを算出し、算出した値から、受信品質を示すパラメータ（以下単に「受信品質」という）を算出する。
【００２０】
復号データ処理部３００は、再生されたトランスポートストリームから画像データと音声データとをそれぞれ分離するデコード処理を実行するとともに、分離した画像データに対して受信品質に応じた画質処理を実行する。復号データ処理部３００は、画質処理部３１０を有する。画質処理部３１０は、受信品質判定部３２０および高画質処理選択部３３０を有する。
【００２１】
画質処理部３１０は、放送信号の受信品質に応じて、消費電力の異なる複数の画質処理のモード（以下「画質モード」という）のいずれかを選択し、選択した画質モードの処理を分離された画像データに対して実行する。複数の画質モードは、たとえば、基本的な内容の画質処理（以下「標準画質処理」という）のみを行うスタンダードモードと、さらに付加的な内容を含む画質処理を行うことでスポーツ番組に適した画質を実現するスポーツモードを含む。以下、適宜、上記付加的な内容を含む画質処理を「高画質処理」といい、高画質処理を実行する画質モードを「高画質モード」という。
【００２２】
受信品質判定部３２０は、放送信号の受信品質を第１の閾値と比較してデコード処理を行うか否かを判定するとともに、放送信号の受信品質を第１の閾値よりも高い第２の閾値と比較して高画質処理と標準画質処理のいずれを行うかを判定する。
【００２３】
高画質処理選択部３３０は、受信中のトランスポートストリームに対して適用する画質モードを、番組種別やユーザ指定に基づいて設定する。高画質処理選択部３３０は、高画質モードが設定されているときで、受信品質判定部３２０で高画質処理を行うと判定されたとき、設定された高画質モードを選択する。また、受信品質判定部３２０で標準画質処理を行うと判定されたときは、設定された画質モードが高画質モードであっても、スタンダードモードを選択する。そして、選択した画質モードに対応する画質処理を、画像データに対して実行する。
【００２４】
高画質処理選択部３３０は、画質処理を行うために、処理の種別ごとにデジタルシグナルプロセッサ（digital signal processor：ＤＳＰ、図示せず）を有している。そして、高画質処理選択部３３０は、使用するＤＳＰの組み合わせを変えることによって、画質モードを切り替える。それぞれのＤＳＰは個別に電力を消費して動作することから、画質処理の消費電力は、画質モードによって異なったものとなる。なお、画質処理はソフトウェア処理によっても実現可能であるが、この場合も処理の種別ごとにＣＰＵ（central processing unit）の処理量が異なるため、同様に消費電力は画質モードによって異なったものとなる。
【００２５】
図２は、本実施の形態に係る受信装置における画質モードと消費電力との関係の一例を示す図である。
【００２６】
図２に示すように、受信装置１００は、スタンダードモード、スポーツモード、シネマモード、およびダイナミックモードの４つの画質モードを有している。スポーツモード、シネマモード、およびダイナミックモードは、高画質モードである。復号データ処理部３００は、スポーツモードではスポーツ番組に適した画質処理を実行し、シネマモードでは映画番組に適した画質処理を実行し、ダイナミックモードでは表示画像に躍動感を与える画質処理を実行する。
【００２７】
画質処理の具体的な処理の種別には、たとえば、濃度変換の一種であるコントラスト改善およびヒストグラム平坦化や、平滑化フィルタを用いたフィルタリング、特徴抽出フィルタを用いたフィルタリング、鮮鋭化フィルタを用いたフィルタリングが挙げられる。高画質処理選択部３３０は、これらの各処理ごとにＤＳＰを有しており、使用するＤＳＰの組み合わせを切り替えることによって、画質モードを切り替える。
【００２８】
したがって、画質モードによって画質処理の消費電力は異なり、その結果、図２に示すように、受信装置１００の平均電力と、同一の電気量で可能な視聴時間は、画質モードごとに異なる。ここでは、画像信号に対して使用するＤＳＰが最も少ないスタンダードモードで、平均電力は最も低く、視聴時間は最も長い。つまり、スタンダードモードでは、高画質モードに比べて、消費電力を低く抑えることができる。
【００２９】
図１の表示部４００は、液晶パネル（図示せず）を備え、画像データを画像表示する。また、表示部４００は、スピーカ（図示せず）を備え、音声データを音声出力する。
【００３０】
以下、上記構成を有する受信装置１００の動作について説明する。まず、本発明の基本的な考え方について説明する。
【００３１】
図３は、受信電波品質と画像視聴の可否および高画質処理の処理効果との関係を説明する図である。
【００３２】
図３に示すように、受信電波品質が第１のレベル５０１−１よりも悪い場合には、視聴可否の度合い５０２は低く、画像の内容が判別できないものとする。また、受信電波品質が第１のレベル５０１−１よりも良好な場合には、画像品質が悪いとしても画像の内容を判別できるものとする。
【００３３】
この場合、受信電波品質が第１のレベル５０１−１よりも悪い場合には、画像データを表示せず、受信電波品質が第１のレベル５０１−１よりも良好な場合には、受信電波品質の程度に関わらず、画像データを表示部４００で表示することが望ましい。
【００３４】
そこで、受信装置１００は、受信電波品質が第１のレベル５０１−１よりも悪い第１のエリア５０４−１では、画像データのデコードを行わず、受信電波品質が第１のレベル５０１−１よりも良好なエリアでは、画像データのデコードを行う。
【００３５】
また、通常、受信電波品質がある程度良好でなければ、高画質処理を行った場合と行わない場合とで、表示画像の画質に違いが認められない。ここでは、受信電波品質が第２のレベル５０１−２よりも悪い場合には、高画質処理の処理効果の度合い５０３は低く、高画質処理を行った場合と行わない場合とで表示画像の画質に違いが認められないものとする。そして、受信電波品質が第２のレベル５０１−２よりも良好な場合には、高画質処理を行った場合と行わない場合とで表示画像の画質に違いが認められるものとする。
【００３６】
この場合、受信電波品質が第２のレベル５０１−２よりも悪い第２のエリア５０４−２では、高画質処理を行わないことが望ましい。これは、図２で説明したように、高画質処理は標準画質処理に比べて消費電力が高く、第２のエリア５０４−２での高画質処理の実行は、無駄に高い電力を消費することになるためである。一方、受信電波品質が第２のレベル５０１−２よりも良好な第３のエリア５０４−３では、高画質処理が設定されている場合、受信電波品質の程度に関わらず高画質処理を行うことが望ましい。
【００３７】
そこで、受信装置１００は、受信電波品質が第１のレベル５０１−１よりも良好であって第２のレベル５０１−２よりも悪い第２のエリア５０４−２では、画像データの高画質処理を行わず、受信電波品質が第第２のレベル５０２−１よりも良好な第３のエリア５０４−３では、画像データの高画質処理を行う。
【００３８】
以上の考えに基づいて、受信装置１００は、以下のように動作する。
【００３９】
図１の無線受信部２２０は、送信所から送出されるワンセグの放送信号を受信し、受信信号に対してダウンコンバートやＡ／Ｄ変換等の処理を行い、ＯＦＤＭ（orthogonal frequency division multiplexing：直交周波数分割多重）信号を抽出する。そして、無線受信部２２０は、抽出したＯＦＤＭ信号を、復調部２３０に出力する。
【００４０】
復調部２３０は、入力されたＯＦＤＭ信号に対して、ＯＦＤＭ復調や誤り検出および誤り訂正を含むデジタル復調を行い、元のトランスポートストリームを再生して復号データ処理部３００に出力する。
【００４１】
受信品質算出部２４０は、復調部２３０によるデジタル復調の過程で、搬送波対雑音比、ビット誤り率、受信電力、および受信電界強度の少なくとも１つを算出し、算出した値から受信品質を算出する。そして、受信品質算出部２４０は、算出した受信品質を、復号データ処理部３００の受信品質判定部３２０に出力する。
【００４２】
受信品質判定部３２０は、入力された受信品質を、図３の第１のレベル５０１−１に相当する第１の閾値と比較し、復号データ処理部３００に入力されるトランスポートストリームに対して復号データ処理部３００でデコード処理を行うか否かを判定する。また、受信品質判定部３２０は、入力された受信品質を、図３の第２のレベル５０１−２に相当する第２の閾値と比較し、復号データ処理部３００でデコード処理によりトランスポートストリームから分離された画像データに対して高画質処理と標準画質処理のいずれを行うかを判定する。そして、受信品質判定部３２０は、判定結果を高画質処理選択部３３０に通知する。第１の閾値および第２の閾値は、たとえば、トランスポートストリームの受信品質を変化させて視聴者に表示画像を評価させることにより取得された値を、あらかじめ設定すればよい。また、第２の閾値は、高画質モードの種別ごとに設定してもよい。
【００４３】
復号データ処理部３００は、受信品質判定部３２０でデコード処理を行うことが判定されたとき、入力されるトランスポートストリームに対してデコード処理を行い、トランスポートストリームから画像データを分離する。
【００４４】
高画質処理選択部３３０は、受信中のトランスポートストリームに対して適用する画質モードを設定する。たとえば、高画質処理選択部３３０は、各種の番組種別と、それぞれの番組種別に適用すべき画質モードとを対応付けたテーブルをあらかじめ格納しておき、トランスポートストリームから番組種別を抽出し、テーブルを参照して、該当する画質モードをトランスポートストリームに適用する画質モードに設定する。また、たとえば、高画質処理選択部３３０は、キースイッチの操作による画質モードの選択をユーザから受け付け、選択された画質モードを、トランスポートストリームに適用する画質モードに設定するようにしてもよい。高画質モードの設定は、視聴する放送番組が切り替えられるごとに行うようにすればよい。
【００４５】
そして、高画質処理選択部３３０は、高画質モードが設定されているときで、受信品質判定部３２０で高画質処理を行うと判定されたとき、設定された高画質モードに対応する高画質処理を選択し、分離された画像データに対して該当する高画質処理を行う。一方、高画質処理選択部３３０は、受信品質判定部３２０で標準画質処理を行うと判定されたとき、設定モードに関わらず、分離された画像データに対して標準画質処理、つまりスタンダードモードに対応する画質処理を選択し、分離された画像データに対して該当する画質処理を行う。
【００４６】
高画質処理選択部３３０は、キースイッチの操作によりユーザから画質モードを指定された場合には、受信品質判定部３２０の判定結果に関わらず、指定された画質モードを優先的に選択するようにしてもよい。
【００４７】
復号データ処理部３００は、画質処理が行われた画像データを、表示部４００に出力する。
【００４８】
表示部４００は、入力された画像データを、液晶ディスプレイに表示する。表示部４００では、上記した画質処理部３１０の処理によって、内容が判別できる画像のみが表示され、かつ、処理効果が得られる範囲内で積極的に高画質処理が行われた画像が表示される。
【００４９】
次に、復号データ処理部３００の全体的な動作の流れについて説明する。
【００５０】
図４は、復号データ処理部３００の動作を示すフローチャートである。
【００５１】
ステップＳ１１００では、受信品質判定部３２０は、受信品質が第１の閾値以上であるか否かを判別する。受信品質判定部３２０は、受信品質が第１の閾値未満、つまり、内容を判別できる画像をトランスポートストリームから得られない場合には（Ｓ１１００：ＮＯ）、デコード処理を行わないと判定し、ステップＳ１２００に進む。一方、受信品質判定部３２０は、受信品質が第１の閾値以上、つまり、内容を判別できる画像をトランスポートストリームから得られる場合には（Ｓ１１００：ＹＥＳ）、デコード処理を行うと判定し、ステップＳ１３００に進む。
【００５２】
ステップＳ１２００では、復号データ処理部３００は、トランスポートストリームのデコード処理を停止し、ステップＳ１１００に戻る。復号データ処理部３００は、トランスポートストリームのデコード処理が停止された状態にある場合には、その状態を継続し、ステップ１１００に戻る。
【００５３】
受信品質が第１の閾値未満のとき、ステップＳ１１００、Ｓ１２００の処理が繰り返され、この間、デコード処理は行われず、表示部４００にはワンセグの画像は表示されない。これにより、無駄なデコード処理や画像表示を低減することができ、消費電力を抑えることができる。
【００５４】
ステップＳ１３００では、復号データ処理部３００は、トランスポートストリームのデコード処理を開始し、トランスポートストリームから画像データを分離する。復号データ処理部３００は、トランスポートストリームのデコード処理が実行されている状態である場合には、その状態を継続する。
【００５５】
ステップＳ１４００では、受信品質判定部３２０は、高画質モードが設定されており、かつ受信品質が第２の閾値以上であるか否かを判別する。受信品質判定部３２０は、高画質モードが設定されており、かつ受信品質が第２の閾値以上、つまり、高画質処理の効果を得られる場合には（Ｓ１４００：ＹＥＳ）、高画質処理を行うと判定し、ステップＳ１５００に進む。一方、受信品質判定部３２０は、スタンダードモードが設定されているか、または高画質モードが設定されているものの受信品質が第２の閾値未満、つまり、高画質処理の効果を得られない場合には（Ｓ１４００：ＮＯ）、標準画質処理を行うと判定し、ステップＳ１６００に進む。
【００５６】
ステップＳ１５００では、高画質処理選択部３３０は、設定されている高画質モードの高画質処理を、分離された画像データに対して実施する。高画質処理が施された画像データは、表示部４００に出力される。
【００５７】
ステップＳ１６００では、高画質処理選択部３３０は、スタンダードモードの画質処理、つまり消費電力が最小の画質モードの画質処理を、分離された画像データに対して実施する。画質処理が施された画像データは、表示部４００に出力される。
【００５８】
ステップＳ１７００では、復号データ処理部３００は、画像データの表示の停止の設定の有無を判別する。たとえば、キースイッチの操作によるワンセグの視聴の終了の指示があったとき、画像データの表示の停止が設定される。復号データ処理部３００は、停止の設定が無い場合は（Ｓ１７００：ＮＯ）、ステップＳ１１００に戻り、停止の設定が有る場合は（Ｓ１７００：ＹＥＳ）、一連の処理を終了する。
【００５９】
停止の設定が無く、受信品質が第２の閾値以上のとき、ステップＳ１５００の処理が繰り返される。ステップＳ１５００の処理が繰り返される間、設定された高画質モードの高画質処理が実施され、スタンダードモードを適用した場合よりも高画質な画像が表示される。
【００６０】
一方、停止の設定が無く、受信品質が第１の閾値以上第２の閾値未満のときは、ステップＳ１６００の処理が繰り返される。ステップＳ１６００の処理が繰り返される間、スタンダードモードの画質処理が実行され、受信品質に応じた画質の画像が表示される。これにより、無駄な高画質処理を実施しないようにすることができ、消費電力を抑えることができる。また、受信品質が第２の閾値以上に回復した時点で、高画質モードに移行し、高画質処理機能がオンとなる。
【００６１】
なお、ステップＳ１４００の判別処理は、Ｓ１３００の処理よりも前に行うようにしてもよい。
【００６２】
以上説明したように、本実施の形態によれば、スタンダードモードよりも高画質モードのほうが良好な画質で画像を出力できるような受信品質のときには、高画質モードを適用し、高画質処理機能をオンにする。そして、スタンダードモードと高画質モードとで画質に大差が無いような受信品質のときには、より消費電力の低いスタンダードモードを適用し、高画質処理機能をオフにする。これにより、表示画質を特に低下させることなく消費電力を抑えることができ、ユーザに特に不快感を与えることなく消費電力を低減できる。
【００６３】
また、画質処理を実行する前の信号で受信品質を判定するので、受信品質から表示画質を予測して画質モードを切り替えることができ、表示画像の画質の変化に精度よく追従して画質モードの切り替えや画像表示のオンオフを行うことができる。
【００６４】
また、デコード処理を実行する前の信号で受信品質を判定するので、受信品質に応じてデコード処理をオンオフすることができ、消費電力をさらに低減できる。
【００６５】
（実施の形態２）
基本的な内容の音質処理である標準音質処理を行うモードと、より高い音質を実現する高音質処理を行うモードとを、トランスポートストリームの受信品質に応じて切り替えることにより、ユーザに特に不快感を与えることなく消費電力を低減することが可能である。
【００６６】
図５は、本発明の実施の形態２に係る受信装置の構成を示すブロック図であり、実施の形態１の図１に対応するものである。図１と同一部分には同一符号を付し、これについての説明を省略する。
【００６７】
図５において、本実施の形態に係る受信装置６００は、図１の復号データ処理部３００とは構成の異なる復号データ処理部７００を有している。復号データ処理部７００は、音質処理部７１０を有する。音質処理部７１０は、受信品質判定部７２０および高音質処理選択部７３０を有する。
【００６８】
復号データ処理部７００は、チューナ２００で再生されたトランスポートストリームから、デコード処理により音声データを分離し、分離した音声データに対して受信品質に応じた音質処理を実行する。
【００６９】
音質処理部７１０は、放送信号の受信品質に応じて、消費電力の異なる複数の音質処理のモード（以下「音質モード」という）のいずれかを選択し、選択した音質モードの処理を分離された音声データに対して実行する。複数の音質モードは、たとえば、標準音質処理のみを行うスタンダードモードと、さらに付加的な内容を含む音質処理を行うことで映画番組に適した音質を実現するシネマモードを含む。以下、適宜、上記付加的な内容を含む音質処理を「高音質処理」といい、高音質処理を実行する音質モードを「高音質モード」という。
【００７０】
ここで、受信電波品質が第３のレベルよりも悪い場合には、音声の内容が判別できず、受信電波品質が第３のレベルよりも良好な場合には、音声品質が悪いとしても音声の内容を判別できるものとする。この場合、受信電波品質が第３のレベルよりも良好な場合には、受信電波品質の程度に関わらず、音声データをデコードして表示部４００で音声出力することが望ましい。
【００７１】
一方で、通常、受信電波品質がある程度良好でなければ、高音質処理を行った場合と行わない場合とで、出力音声の音質に違いが認められない。ここでは、受信電波品質が第４のレベルよりも悪い場合には、高音質処理を行った場合と行わない場合とで出力音声の音質に違いが認められないものとする。また、受信電波品質が第４のレベルよりも良好な場合には、高音質処理を行った場合と行わない場合とで出力音声の音質に違いが認められるものとする。この場合、受信電波品質が第４のレベルよりも良好な場合には、受信電波品質の程度に関わらず、高音質処理を行うことが望ましい。
【００７２】
受信品質判定部７２０は、放送信号の受信品質を上記第３のレベルに相当する第３の閾値と比較してデコード処理を行うか否かを判定するとともに、放送信号の受信品質を上記第４のレベルに相当する第４の閾値と比較して高音質処理と標準音質処理のいずれを行うかを判定する。第３の閾値および第４の閾値は、たとえば、トランスポートストリームの受信品質を変化させて視聴者に出力音声を評価させることにより取得された値を、あらかじめ設定すればよい。また、第４の閾値は、高音質モードの種別ごとに設定してもよい。
【００７３】
高音質処理選択部７３０は、受信中のトランスポートストリームに対して適用する音質モードを、番組種別やユーザ指定に基づいて設定する。高音質処理選択部７３０は、高音質モードが設定されているときで、受信品質判定部７２０で高音質処理を行うと判定されたとき、設定された高音質モードを選択する。また、受信品質判定部７２０で標準音質処理を行うと判定されたときは、設定された音質モードが高音質モードであってもスタンダードモードを選択する。そして、選択した音質モードに対応する音質処理を、音声データに対して実行する。
【００７４】
高音質処理選択部７３０は、音質処理を行うために、処理の種別ごとにＤＳＰ（図示せず）を有しており、使用するＤＳＰの組み合わせを変えることによって、音質モードを切り替える。それぞれのＤＳＰは個別に電力を消費して動作することから、音質処理の消費電力は、音質モードによって異なったものとなる。なお、音質処理はソフトウェア処理によっても実現可能であるが、この場合も処理の種別ごとにＣＰＵの処理量が異なるため、同様に消費電力は音質モードによって異なったものとなる。
【００７５】
たとえば、受信装置６００は、スタンダードモード、スポーツモード、シネマモード、およびダイナミックモードの４つの音質モードを有している。スポーツモード、シネマモード、およびダイナミックモードは、高音質モードである。復号データ処理部７００は、スポーツモードではスポーツ番組に適した音質処理を実行し、シネマモードでは映画番組に適した音質処理を実行し、ダイナミックモードでは出力音声に躍動感を与える音質処理を実行する。
【００７６】
音質処理の具体的な処理の種別には、たとえば、音声処理の一種である高域音声処理、低域音声処理、およびサラウンド処理が挙げられる。高音質処理選択部７３０は、音声処理の各処理ごとにＤＳＰを有しており、使用するＤＳＰの組み合わせを切り替えることによって、音質モードを切り替える。
【００７７】
したがって、音質モードによって音質処理の消費電力は異なり、その結果、受信装置６００の平均電力と、同一の電気量で可能な視聴時間は、音質モードごとに異なる。ここでは、スタンダードモードで、平均電力は最も低く、視聴時間は最も長いものとする。つまり、スタンダードモードでは、高音質モードに比べて、消費電力を低く抑えることができる。
【００７８】
以下、上記構成を有する受信装置６００の動作について説明する。
【００７９】
受信品質判定部７２０は、入力された受信品質を、上記第３の閾値と比較し、復号データ処理部７００に入力されるトランスポートストリームに対して復号データ処理部７００でデコード処理を行うか否かを判定する。また、受信品質判定部７２０は、入力された受信品質を、上記第４の閾値と比較し、復号データ処理部７００でデコード処理によりトランスポートストリームから分離された音声データに対して高音質処理と標準音質処理のいずれを行うかを判定し、判定結果を高音質処理選択部７３０に通知する。
【００８０】
復号データ処理部７００は、受信品質判定部７２０でデコード処理を行うことが判定されたとき、入力されるトランスポートストリームに対してデコード処理を行い、トランスポートストリームから音声データを分離する。
【００８１】
高音質処理選択部７３０は、受信中のトランスポートストリームに対して適用する音質モードを設定する。たとえば、高音質処理選択部７３０は、各種の番組種別と、それぞれの番組種別に適用すべき音質モードとを対応付けたテーブルをあらかじめ格納しておき、トランスポートストリームから番組種別を抽出し、テーブルを参照して、該当する音質モードをトランスポートストリームに適用する音質モードに設定する。また、たとえば、高音質処理選択部７３０は、キースイッチの操作による音質モードの選択をユーザから受け付け、選択された音質モードを、トランスポートストリームに適用する音質モードに設定するようにしてもよい。音質モードの設定は、視聴する放送番組が切り替えられるごとに行うようにすればよい。
【００８２】
そして、高音質処理選択部７３０は、高音質モードが設定されているときで、受信品質判定部７２０で高音質処理を行うと判定されたとき、設定された高音質モードに対応する高音質処理を選択し、分離された音声データに対して該当する高音質処理を行う。一方、高音質処理選択部７３０は、受信品質判定部７２０で標準音質処理を行うと判定されたとき、設定モードに関わらず、分離された音声データに対して標準音質処理、つまりスタンダードモードの音質処理を行う。
【００８３】
高音質処理選択部７３０は、キースイッチの操作によりユーザから音質モードを指定された場合には、受信品質判定部７２０の判定結果に関わらず、指定された音質モードを優先的に選択するようにしてもよい。
【００８４】
復号データ処理部７００は、音質処理が行われた音声データを、表示部４００に出力する。
【００８５】
表示部４００は、入力された音声データを、スピーカから音声出力する。表示部４００からは、上記した音質処理部７１０の処理によって、内容が判別できる音声のみが出力され、かつ、処理効果が得られる範囲内で積極的に高音質処理が行われた音声が出力される。
【００８６】
次に、復号データ処理部７００の全体的な動作の流れについて説明する。
【００８７】
図６は、復号データ処理部７００の動作を示すフローチャートである。
【００８８】
ステップＳ２１００では、受信品質判定部７２０は、受信品質が第３の閾値以上であるか否かを判別する。受信品質判定部７２０は、受信品質が第３の閾値未満、つまり、内容を判別できる音声をトランスポートストリームから得られない場合には（Ｓ２１００：ＮＯ）、デコード処理を行わないと判定し、ステップＳ２２００に進む。一方、受信品質判定部７２０は、受信品質が第３の閾値以上、つまり、内容を判別できる音声をトランスポートストリームから得られる場合には（Ｓ２１００：ＹＥＳ）、デコード処理を行うと判定し、ステップＳ２３００に進む。
【００８９】
ステップＳ２２００では、復号データ処理部７００は、トランスポートストリームのデコード処理を停止し、ステップＳ２１００に戻る。復号データ処理部７００は、トランスポートストリームのデコード処理が停止された状態にある場合には、その状態を継続し、ステップＳ２１００に戻る。
【００９０】
受信品質が第３の閾値未満のとき、ステップＳ２１００、Ｓ２２００の処理が繰り返され、この間、デコード処理は行われず、表示部４００からはワンセグの音声は出力されない。これにより、無駄なデコード処理や音声出力を低減することができ、消費電力を抑えることができる。
【００９１】
ステップＳ２３００では、復号データ処理部７００は、トランスポートストリームのデコード処理を開始し、トランスポートストリームから音声データを分離する。復号データ処理部７００は、トランスポートストリームのデコード処理が実行されている状態である場合には、その状態を継続する。
【００９２】
ステップＳ２４００では、受信品質判定部７２０は、高音質モードが設定されており、かつ受信品質が第４の閾値以上であるか否かを判別する。受信品質判定部７２０は、高音質モードが設定されており、かつ受信品質が第４の閾値以上、つまり、高音質処理の効果を得られる場合には（Ｓ２４００：ＹＥＳ）、高音質処理を行うと判定し、ステップＳ２５００に進む。一方、受信品質判定部７２０は、スタンダードモードが設定されているか、または高音質モードが設定されているものの受信品質が第４の閾値未満、つまり、高音質処理の効果を得られない場合には（Ｓ２４００：ＮＯ）、標準音質処理を行うと判定し、ステップＳ２６００に進む。
【００９３】
ステップＳ２５００では、高音質処理選択部７３０は、設定されている高音質モードの高音質処理を、分離された音声データに対して実施する。高音質処理が施された音声データは、表示部４００に出力される。
【００９４】
ステップＳ２６００では、高音質処理選択部７３０は、スタンダードモードの音質処理、つまり消費電力が最小の音質モードの音質処理を、分離された音声データに対して実施する。音質処理が施された音声データは、表示部４００に出力される。
【００９５】
ステップＳ２７００では、復号データ処理部７００は、音声データの音声出力の停止の設定の有無を判別する。たとえば、キースイッチの操作によるワンセグの視聴の終了の指示があったとき、音声データの音声出力の停止が設定される。復号データ処理部７００は、停止の設定が無い場合は（Ｓ２７００：ＮＯ）、ステップＳ２１００に戻り、停止の設定が有る場合は（Ｓ２７００：ＹＥＳ）、一連の処理を終了する。
【００９６】
停止の設定が無く、受信品質が第４の閾値以上のとき、ステップＳ２５００の処理が繰り返される。ステップＳ２５００の処理が繰り返される間、設定された高音質モードの高音質処理が実施され、スタンダードモードを適用した場合よりも高音質な音声が出力される。
【００９７】
一方、停止の設定が無く、受信品質が第３の閾値以上第４の閾値未満のときは、ステップＳ２６００の処理が繰り返される。ステップＳ２６００の処理が繰り返される間、スタンダードモードの音質処理が実行され、受信品質に応じた音質の音声が表示される。これにより、無駄な高音質処理を実施しないようにすることができ、消費電力を抑えることができる。また、受信品質が第４の閾値以上に回復した時点で、高音質モードに移行し、高音質処理機能がオンとなる。
【００９８】
なお、ステップＳ２４００の判別処理は、ステップＳ２３００の処理よりも前に行うようにしてもよい。
【００９９】
以上説明したように、本実施の形態によれば、スタンダードモードよりも高音質モードのほうが良好な音質で音声を出力できるような受信品質のときには、高音質モードを適用し、高音質処理機能をオンにする。そして、スタンダードモードと高音質モードとで音質に大差が無いような受信品質のときには、より消費電力の低いスタンダードモードを適用し、高音質処理機能をオフにする。これにより、出力音質を特に低下させることなく消費電力を抑えることができ、ユーザに特に不快感を与えることなく消費電力を低減できる。
【０１００】
また、音質処理を実行する前の信号で受信品質を判定するので、受信品質から出力音声を予測して音質モードを切り替えることができ、出力音声の音質の変化に精度よく追従して音質モードの切り替えや音声出力のオンオフを行うことができる。
【０１０１】
また、デコード処理を実行する前の信号で受信品質を判定するので、受信品質に応じてデコード処理をオンオフすることができ、消費電力をさらに低減できる。
【０１０２】
なお、消費電力に影響する音質処理として、高域音声処理等の音声処理以外にも、音量変更処理および音域変更処理、スピーカが複数備えられている場合における使用スピーカの個数変更処理等が存在する。音質処理部７１０において、これらの各処理と、各音質モードとを関連付けておくようにしてもよい。
【０１０３】
また、実施の形態１の受信装置１００に、本実施の形態の音質処理部７１０を設けるようにしてもよい。また、この場合、画質処理と音質処理とを組み合わせておき、組み合わせた画質処理の効果および音質処理の効果と消費電力との関係から、受信品質の閾値を設定しておいた上で、画質処理と音質処理との組み合わせを選択し実行するようにしてもよい。
【０１０４】
また、以上説明した各実施の形態では、本発明をワンセグ受信機能を有する携帯電話機に適用したが、これに限定されるものではない。たとえば、ワンセグ受信機能を搭載したＰＤＡ（personal digital assistant）やパーソナルコンピュータ、地上デジタル放送受信機能を有するテレビジョン受信機など、受信した画像信号または音声信号に対してそれぞれ消費電力の異なる複数の信号処理を選択的に実行する各種の受信装置に適用可能である。
【産業上の利用可能性】
【０１０５】
本発明に係る受信装置および受信方法は、ユーザに特に不快感を与えることなく消費電力を低減できる受信装置および受信方法として有用である。
【図面の簡単な説明】
【０１０６】
【図１】本発明の実施の形態１に係る受信装置の構成を示すブロック図
【図２】実施の形態１に係る受信装置における画質モードと消費電力との関係の一例を示す図
【図３】実施の形態１における受信電波品質と画像視聴の可否および高画質処理の処理効果との関係を説明する図
【図４】実施の形態１における復号データ処理部の動作を示すフローチャート
【図５】本発明の実施の形態２に係る受信装置の構成を示すブロック図
【図６】実施の形態２における復号データ処理部の動作を示すフローチャート
【符号の説明】
【０１０７】
１００、６００  受信装置
２００  チューナ
３００、７００  復号データ処理部
４００  表示部
２１０  アンテナ部
２２０  無線受信部
２３０  復調部
２４０  受信品質算出部
３００  復号データ処理部
３１０  画質処理部
３２０、７２０  受信品質判定部
３３０  高画質処理選択部
７１０  音質処理部
７３０  高音質処理選択部
【図１】
2008259036.tif 000003
【図２】
2008259036.tif 000004
【図３】
2008259036.tif 000005
【図４】
2008259036.tif 000006
【図５】
2008259036.tif 000007
【図６】
2008259036.tif 000008